【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
（Ａ）式ＣＦ3ＣＸ＝ＣＨＲa（ここで、ＸはＨまたはＦであり、ＲaはＣＦ3ＣＦ2、ＣＦ3またはＣｌである、ただし、（ｉ）ＸがＦであるとき、ＲaはＣｌであり、（ｉｉ）ＲaがＣＦ3ＣＦ2またはＣｌであるとき、式ＣＦ3ＣＸ＝ＣＨＲaの化合物はＥ立体配置異性体であり、かつ（ｉｉｉ）ＲaがＣＦ3であるとき、式ＣＦ3ＣＸ＝ＣＨＲaの化合物はＺ立体配置異性体である）の化合物と、
（Ｂ）式ＣＦ3Ｒb（ここで、ＲbはＣＨＦＣＨ2ＦまたはＣＨ＝ＣＨＣＦ3である、ただし、ＲbがＣＨ＝ＣＨＣＦ3であるとき、ＸはＦであり、式ＣＦ3Ｒbの化合物はＺ立体配置異性体である）の化合物と
を含む組成物であって、成分Ｂ化合物が前記組成物中の成分Ａ化合物と共沸もしくは共沸混合物様組み合わせを形成するのに有効な量で前記組成物中に存在する組成物。
【請求項２】
（ａ）Ｅ−１，１，１，４，４，５，５，５−オクタフルオロ−２−ペンテンと、
（ｂ）１，１，１，２，３−ペンタフルオロプロパンと
から本質的になる請求項１に記載の組成物であって、前記１，１，１，２，３−ペンタフルオロプロパンが前記Ｅ−１，１，１，４，４，５，５，５−オクタフルオロ−２−ペンテンと共沸組み合わせを形成するのに有効な量で存在する組成物。
【請求項３】
（ａ）Ｅ−１，１，１，４，４，５，５，５−オクタフルオロ−２−ペンテンと、
（ｂ）１，１，１，２，３−ペンタフルオロプロパンと
から本質的になる請求項１に記載の組成物であって、前記１，１，１，２，３−ペンタフルオロプロパンが前記Ｅ−１，１，１，４，４，５，５，５−オクタフルオロ−２−ペンテンと共沸混合物様組み合わせを形成するのに有効な量で存在する組成物。
【請求項４】
（ａ）Ｅ−１−クロロ−３，３，３−トリフルオロプロペンと、
（ｂ）１，１，１，２，３−ペンタフルオロプロパンと
から本質的になる請求項１に記載の組成物であって、前記１，１，１，２，３−ペンタフルオロプロパンが前記Ｅ−１−クロロ−３，３，３−トリフルオロプロペンと共沸組み合わせを形成するのに有効な量で存在する組成物。
【請求項５】
（ａ）Ｅ−１−クロロ−３，３，３−トリフルオロプロペンと、
（ｂ）１，１，１，２，３−ペンタフルオロプロパンと
から本質的になる請求項１に記載の組成物であって、前記１，１，１，２，３−ペンタフルオロプロパンが前記Ｅ−１−クロロ−３，３，３−トリフルオロプロペンと共沸混合物様組み合わせを形成するのに有効な量で存在する組成物。
【請求項６】
（ａ）Ｅ−１−クロロ−２，３，３，３−テトラフルオロプロペンと、
（ｂ）１，１，１，２，３−ペンタフルオロプロパンと
から本質的になる請求項１に記載の組成物であって、前記１，１，１，２，３−ペンタフルオロプロパンが前記Ｅ−１−クロロ−２，３，３，３−テトラフルオロプロペンと共沸組み合わせを形成するのに有効な量で存在する組成物。
【請求項７】
（ａ）Ｅ−１−クロロ−２，３，３，３−テトラフルオロプロペンと、
（ｂ）１，１，１，２，３−ペンタフルオロプロパンと
から本質的になる請求項１に記載の組成物であって、前記１，１，１，２，３−ペンタフルオロプロパンが前記Ｅ−１−クロロ−２，３，３，３−テトラフルオロプロペンと共沸混合物様組み合わせを形成するのに有効な量で存在する組成物。
【請求項８】
（ａ）Ｚ−１，１，１，４，４，４−ヘキサフルオロ−２−ブテンと、
（ｂ）１，１，１，２，３−ペンタフルオロプロパンと
から本質的になる請求項１に記載の組成物であって、前記１，１，１，２，３−ペンタフルオロプロパンが前記Ｚ−１，１，１，４，４，４−ヘキサフルオロ−２−ブテンと共沸混合物様組み合わせを形成するのに有効な量で存在する組成物。
【請求項９】
共沸もしくは共沸混合物様組成物を発泡剤として使用する工程を含む熱可塑性または熱硬化性発泡体の製造方法であって、前記共沸もしくは共沸混合物様組成物が請求項１に記載の組成物である方法。
【請求項１０】
共沸もしくは共沸混合物様組成物を凝縮させる工程と、その後冷却されるべき本体の近くで前記共沸もしくは共沸混合物様組成物を蒸発させる工程とを含む冷却を行うための方法であって、前記共沸もしくは共沸混合物様組成物が請求項１に記載の組成物である方法。
【請求項１１】
共沸もしくは共沸混合物様組成物を溶媒として使用する工程を含む方法であって、前記共沸もしくは共沸混合物様組成物が請求項１に記載の組成物である方法。
【請求項１２】
共沸もしくは共沸混合物様組成物を噴射剤として使用する工程を含むエアゾール製品の製造方法であって、前記共沸もしくは共沸混合物様組成物が請求項１に記載の組成物である方法。
【請求項１３】
共沸もしくは共沸混合物様組成物を熱媒として使用する工程を含む方法であって、前記共沸もしくは共沸混合物様組成物が請求項１に記載の組成物である方法。
【請求項１４】
共沸もしくは共沸混合物様組成物を消火剤または鎮火剤として使用する工程を含む消火または鎮火方法であって、前記共沸もしくは共沸混合物様組成物が請求項１に記載の組成物である方法。
【請求項１５】
共沸もしくは共沸混合物様組成物を誘電体として使用する工程を含む方法であって、前記共沸もしくは共沸混合物様組成物が請求項１に記載の組成物である方法。
【手続補正２】
【補正対象書類名】明細書
【補正対象項目名】０１２５
【補正方法】変更
【補正の内容】
【０１２５】
実施形態Ｅ８。共沸混合物様組成物を誘電体として使用する工程を含む方法であって、前記共沸混合物様組成物が、Ｚ−１，１，１，４，４，４−ヘキサフルオロ−２−ブテンとＥ−１−クロロ−２，３，３，３−テトラフルオロプロペンとから本質的になる方法。
以下に、本発明の好ましい態様を示す。
［１］  （Ａ）式ＣＦ3ＣＸ＝ＣＨＲa（ここで、ＸはＨまたはＦであり、ＲaはＣＦ3ＣＦ2、ＣＦ3またはＣｌである、ただし、（ｉ）ＸがＦであるとき、ＲaはＣｌであり、（ｉｉ）ＲaがＣＦ3ＣＦ2またはＣｌであるとき、式ＣＦ3ＣＸ＝ＣＨＲaの化合物はＥ立体配置異性体であり、かつ（ｉｉｉ）ＲaがＣＦ3であるとき、式ＣＦ3ＣＸ＝ＣＨＲaの化合物はＺ立体配置異性体である）の化合物と、
（Ｂ）式ＣＦ3Ｒb（ここで、ＲbはＣＨＦＣＨ2ＦまたはＣＨ＝ＣＨＣＦ3である、ただし、ＲbがＣＨ＝ＣＨＣＦ3であるとき、ＸはＦであり、式ＣＦ3Ｒbの化合物はＺ立体配置異性体である）の化合物と
を含む組成物であって、成分Ｂ化合物が前記組成物中の成分Ａ化合物と共沸もしくは共沸混合物様組み合わせを形成するのに有効な量で前記組成物中に存在する組成物。
［２］  （ａ）Ｅ−１，１，１，４，４，５，５，５−オクタフルオロ−２−ペンテンと、
（ｂ）１，１，１，２，３−ペンタフルオロプロパンと
から本質的になる［１］に記載の組成物であって、前記１，１，１，２，３−ペンタフルオロプロパンが前記Ｅ−１，１，１，４，４，５，５，５−オクタフルオロ−２−ペンテンと共沸組み合わせを形成するのに有効な量で存在する組成物。
［３］  （ａ）Ｅ−１，１，１，４，４，５，５，５−オクタフルオロ−２−ペンテンと、
（ｂ）１，１，１，２，３−ペンタフルオロプロパンと
から本質的になる［１］に記載の組成物であって、前記１，１，１，２，３−ペンタフルオロプロパンが前記Ｅ−１，１，１，４，４，５，５，５−オクタフルオロ−２−ペンテンと共沸混合物様組み合わせを形成するのに有効な量で存在する組成物。
［４］  （ａ）Ｅ−１−クロロ−３，３，３−トリフルオロプロペンと、
（ｂ）１，１，１，２，３−ペンタフルオロプロパンと
から本質的になる［１］に記載の組成物であって、前記１，１，１，２，３−ペンタフルオロプロパンが前記Ｅ−１−クロロ−３，３，３−トリフルオロプロペンと共沸組み合わせを形成するのに有効な量で存在する組成物。
［５］  （ａ）Ｅ−１−クロロ−３，３，３−トリフルオロプロペンと、
（ｂ）１，１，１，２，３−ペンタフルオロプロパンと
から本質的になる［１］に記載の組成物であって、前記１，１，１，２，３−ペンタフルオロプロパンが前記Ｅ−１−クロロ−３，３，３−トリフルオロプロペンと共沸混合物様組み合わせを形成するのに有効な量で存在する組成物。
［６］  （ａ）Ｅ−１−クロロ−２，３，３，３−テトラフルオロプロペンと、
（ｂ）１，１，１，２，３−ペンタフルオロプロパンと
から本質的になる［１］に記載の組成物であって、前記１，１，１，２，３−ペンタフルオロプロパンが前記Ｅ−１−クロロ−２，３，３，３−テトラフルオロプロペンと共沸組み合わせを形成するのに有効な量で存在する組成物。
［７］  （ａ）Ｅ−１−クロロ−２，３，３，３−テトラフルオロプロペンと、
（ｂ）１，１，１，２，３−ペンタフルオロプロパンと
から本質的になる［１］に記載の組成物であって、前記１，１，１，２，３−ペンタフルオロプロパンが前記Ｅ−１−クロロ−２，３，３，３−テトラフルオロプロペンと共沸混合物様組み合わせを形成するのに有効な量で存在する組成物。
［８］  （ａ）Ｚ−１，１，１，４，４，４−ヘキサフルオロ−２−ブテンと、
（ｂ）１，１，１，２，３−ペンタフルオロプロパンと
から本質的になる［１］に記載の組成物であって、前記１，１，１，２，３−ペンタフルオロプロパンが前記Ｚ−１，１，１，４，４，４−ヘキサフルオロ−２−ブテンと共沸混合物様組み合わせを形成するのに有効な量で存在する組成物。
［９］  （ａ）Ｚ−１，１，１，４，４，４−ヘキサフルオロ−２−ブテンと、
（ｂ）Ｅ−１−クロロ−２，３，３，３−テトラフルオロプロペンと
から本質的になる［１］に記載の組成物であって、前記Ｅ−１−クロロ−２，３，３，３−テトラフルオロプロペンが前記Ｚ−１，１，１，４，４，４−ヘキサフルオロ−２−ブテンと共沸混合物様組み合わせを形成するのに有効な量で存在する組成物。
［１０］  （Ａ）式ＣＦ3ＣＸ＝ＣＨＲa（ここで、ＸはＨまたはＦであり、ＲaはＣＦ3ＣＦ2、ＣＦ3またはＣｌである、ただし、（ｉ）ＸがＦであるとき、ＲaはＣｌであり、（ｉｉ）ＲaがＣＦ3ＣＦ2またはＣｌであるとき、式ＣＦ3ＣＸ＝ＣＨＲaの化合物はＥ立体配置異性体であり、かつ（ｉｉｉ）ＲaがＣＦ3であるとき、式ＣＦ3ＣＸ＝ＣＨＲaの化合物はＺ立体配置異性体である）の化合物と、
（Ｂ）式ＣＦ3Ｒb（ここで、ＲbはＣＨＦＣＨ2ＦまたはＣＨ＝ＣＨＣＦ3である、ただし、ＲbがＣＨ＝ＣＨＣＦ3であるとき、ＸはＦであり、式ＣＦ3Ｒbの化合物はＺ立体配置異性体である）の化合物と
から本質的になる共沸もしくは共沸混合物様組成物。
［１１］  共沸もしくは共沸混合物様組成物を発泡剤として使用する工程を含む熱可塑性または熱硬化性発泡体の製造方法であって、前記共沸もしくは共沸混合物様組成物が［１０］に記載の組成物である方法。
［１２］  共沸もしくは共沸混合物様組成物を凝縮させる工程と、その後冷却されるべき本体の近くで前記共沸もしくは共沸混合物様組成物を蒸発させる工程とを含む冷却を行うための方法であって、前記共沸もしくは共沸混合物様組成物が［１０］に記載の組成物である方法。
［１３］  共沸もしくは共沸混合物様組成物を溶媒として使用する工程を含む方法であって、前記共沸もしくは共沸混合物様組成物が［１０］に記載の組成物である方法。
［１４］  共沸もしくは共沸混合物様組成物を噴射剤として使用する工程を含むエアゾール製品の製造方法であって、前記共沸もしくは共沸混合物様組成物が［１０］に記載の組成物である方法。
［１５］  共沸もしくは共沸混合物様組成物を熱媒として使用する工程を含む方法であって、前記共沸もしくは共沸混合物様組成物が［１０］に記載の組成物である方法。
［１６］  共沸もしくは共沸混合物様組成物を消火剤または鎮火剤として使用する工程を含む消火または鎮火方法であって、前記共沸もしくは共沸混合物様組成物が［１０］に記載の組成物である方法。
［１７］  共沸もしくは共沸混合物様組成物を誘電体として使用する工程を含む方法であって、前記共沸もしくは共沸混合物様組成物が［１０］に記載の組成物である方法。